(57)【要約】【課題】光放射効率が高く、かつ、低温低調光時における立ち消えやちらつきを起こさずにランプを広範囲に調光できる照明器具を提供する。【解決手段】本発明に係る照明器具１は、少なくとも照明器具本体２と、照明器具本体２に装着される第１の光源手段である蛍光ランプ３と、第１の光源手段からの光を反射する反射部材６とを備え、反射部材６は第２の光源手段である有機ＥＬパネル７から構成され、第１の光源手段および第２の光源手段を点灯させる点灯回路４を有し、第２の光源手段は第１の光源手段を消灯した状態で調光可能である。または、反射部材６は、第２の光源手段である有機ＥＬパネル７を一部に備えてもよい。【選択図】図１
2010272217.tif 000002
【特許請求の範囲】
【請求項１】
少なくとも照明器具本体と、前記照明器具本体に装着される蛍光管からなる第１の光源手段と、前記第１の光源手段からの光を反射する反射部材とを備え、
前記反射部材は第２の光源手段を有し、
前記第１の光源手段および前記第２の光源手段を点灯させる点灯回路を有し、
前記第２の光源手段は、前記第１の光源手段を消灯した状態で調光可能であることを特徴とする照明器具。
【請求項２】
前記反射部材は有機エレクトロルミネッセンス素子を備え、
前記第２の光源手段は、前記有機エレクトロルミネッセンス素子であり、
前記有機エレクトロルミネッセンス素子に含まれる陰極により前記第１の光源手段からの光を反射することを特徴とする請求項１に記載の照明器具。
【請求項３】
前記反射部材は、有機エレクトロルミネッセンス素子および光を反射する材質からなる反射板を備え、
前記第２の光源手段は、前記有機エレクトロルミネッセンス素子であり、
前記有機エレクトロルミネッセンス素子に含まれる陰極および前記反射板により、前記第１の光源手段からの光を反射することを特徴とする請求項１または２に記載の照明器具。
【請求項４】
前記反射部材は、発光ダイオードおよび光を反射する材質からなる反射板を備え、
前記第２の光源手段は、前記発光ダイオードであり、
前記反射板により、前記第１の光源手段からの光を反射することを特徴とする請求項１に記載の照明器具。  
【請求項５】
前記発光ダイオードは、前記反射板の前記第１の光源手段側の表面に取り付けられていることを特徴とする請求項４に記載の照明器具。
【請求項６】
前記第１の光源手段は調光可能であること特徴とする請求項１ないし５のいずれか１項に記載の照明器具。
【発明の詳細な説明】
【技術分野】
【０００１】
本発明は、複数の光源を備える照明器具に関する。
【背景技術】
【０００２】
点灯回路を有する照明器具本体のソケット部に、蛍光ランプなどの光源を取り付けて使用する照明器具が、家庭や施設共に多く利用されている。このような照明器具では、高反射率である白色が塗装された反射板によって光源からの光を反射させ、光放射効率を上げている。また、消費電力量が増大の一歩をたどる現在、照明器具の省エネルギー化は重要な課題の一つである。そこで、照明器具の省エネルギー化への一つのアプローチとして、場所や状況によって照明器具のランプを調光するという手法が用いられている。このような照明器具では、ランプを段階的に調光できるよう点灯回路の設計がなされている。
【０００３】
一方、液晶表示装置のバックライトでは、より見やすい画像を得るために、主光源と、発光ダイオードや有機ＥＬ素子などの補助光源とを組み合わせた技術が用いられている。例えば、特許文献１には、液晶表示素子と、該液晶表示素子の直下に主光源が配置され、該主光源の背面に主光源からの光を反射する光反射板が設けられた直下型の照明装置とを備え、上記主光源の直下に補助光源手段を設けた液晶表示装置が紹介されている。これにより、均一で輝度ムラの少ない画面表示が可能となる。
【０００４】
また、特許文献２には、照明制御装置によって照明パネルの主光源である蛍光管が点灯され、光センサにより液晶表示装置の周辺の明るさが検知され、照明制御装置は光センサから入力された検知信号に基づいて照明パネルの補助光源である有機ＥＬ素子を液晶表示装置の周辺の明るさに応じた輝度で発光させる技術が紹介されている。例えば、液晶表示装置の周辺が明るい場合には、有機ＥＬ素子の駆動電流を増加して発光輝度を高め、これにより照明パネル全体の輝度を向上させる。
【先行技術文献】
【特許文献】
【０００５】
【特許文献１】特開２０００−３１０７７６号公報
【特許文献２】特開２００６−００３７９７号公報
【発明の概要】
【発明が解決しようとする課題】
【０００６】
しかし、前述したような照明器具の点灯回路を変更しランプを調光可能とする方法では、点灯回路を複雑化する必要がある。このようにしてランプを調光可能とした場合には、低温時において低調光とすると、立ち消えやちらつきを起こすという問題がある。そこで、複数の光源を用い、ランプを調光可能とする方法を考える必要がある。
【０００７】
特許文献１または２に記載されているように、液晶表示装置のバックライトにおいて、主光源の他に発光ダイオードや有機ＥＬ素子などの補助光源を用いる手法が提案されている。しかし、これらの補助光源は、液晶表示装置のバックライトとして均一な輝度を得るために用いられ、主光源の点灯を前提としている。そのため、該補助光源をそのまま照明器具のランプの調光手段として適用できない。さらに、前述したような反射板を有する照明器具にそのまま主光源以外の光源を設置した場合、光放射効率を下げてしまうことが想定される。また、これを避ける位置に光源を設置する場合には、照明器具のデザインが制限される。
【０００８】
本発明は、上記事情に鑑みてなされたものであり、光放射効率が高く、かつ、低温低調光時における立ち消えやちらつきを起こさずにランプを広範囲に調光できる照明器具の提供を目的とする。
【課題を解決するための手段】
【０００９】
本発明に係る照明器具は、少なくとも照明器具本体と、前記照明器具本体に装着される蛍光管からなる第１の光源手段と、前記第１の光源手段からの光を反射する反射部材とを備え、
前記反射部材は第２の光源手段を有し、
前記第１の光源手段および前記第２の光源手段を点灯させる点灯回路を有し、
前記第２の光源手段は、前記第１の光源手段を消灯した状態で調光可能であることを特徴とする。
【発明の効果】
【００１０】
本発明の照明器具によれば、光放射効率が高く、かつ、低温低調光時における立ち消えやちらつきを起こさずにランプを広範囲に調光できる。
【図面の簡単な説明】
【００１１】
【図１】本発明の実施の形態１に係る照明器具の構成例を示す斜視図である。
【図２】実施の形態１に係る照明器具の構成例を示す断面図である。
【図３】図２のＡ部分の拡大図である。
【図４】本発明の実施の形態２に係る照明器具の構成例を示す斜視図である。
【図５】実施の形態２に係る照明器具の構成例を示す断面図である。
【図６】図５のＢ部分の拡大図である。
【図７】本発明の実施の形態３に係る照明器具の構成例を示す斜視図である。
【図８】実施の形態３に係る照明器具の構成例を示す断面図である。
【発明を実施するための形態】
【００１２】
以下、この発明の実施の形態について図面を参照しながら詳細に説明する。図中同一または相当部分には同一符号を付す。
【００１３】
（実施の形態１）
図１は、本発明の実施の形態１に係る照明器具の斜視図を示す。照明器具１は、照明器具本体２と、蛍光ランプ３と、反射部材６とから構成されている。照明器具本体２は天井・壁などに固定され、取付型または埋め込み型のいずれでもよい。照明器具本体２は、ソケット部５を有し、該ソケット部５に蛍光ランプ３が装着されている。また、反射部材６は照明器具本体２に固定されており、蛍光ランプ３からの光を反射する。後に詳説するが、本実施の形態１においては、反射部材６は有機エレクトロルミネッセンスパネル（以下、有機ＥＬパネル）７であり、照明器具本体２には、該有機ＥＬパネル７および前述した蛍光ランプ３を点灯させるための点灯回路４が内蔵されている。また、点灯回路４と有機ＥＬパネル７または蛍光ランプ３とをそれぞれ電気的に接続するため、適宜図示しない配線がなされている。
【００１４】
蛍光ランプ３は、直管形状の蛍光灯であり、ソケット部５に２本互いに平行に装着されている。図２は、実施の形態１に係る照明器具の断面図を示す。反射部材６は、例えば、図１および図２に示すように、矩形状の板の両端がくの字状に折れ曲がったような形状をしている。図１および図２では、反射部材６は、該反射部材６の１平面において照明器具本体２に固定されている様子を示したが、これらの固定方法は該方法に限定されない。
【００１５】
図３は、図２のＡ部分の拡大図を示す。前述したとおり、本実施の形態１においては、反射部材６は有機ＥＬパネル７である。図３に示すように、有機ＥＬパネル７は、パネル基板７ａと、陰極７ｂと、発光層７ｃと、陽極７ｄと、封止膜７ｅとから構成されている。なお、反射部材６はこれらの層からなる有機ＥＬパネル７以外に、パネル表面を保護するための透明または半透明である保護部材や、照明器具本体２への保持部材などを備えてもよい。
【００１６】
陰極７ｂは、光反射率の高い、かつ電極としての機能を有する材料からなる。例えば、Ａｌ、Ｃｒ、Ｍｏ、Ａｌ合金、Ａｌ／Ｍｏ積層体などの金属からなる。発光層７ｃは、少なくともＡｌｑ３やＤＣＭなどの公知の有機発光材料を含有する。また、陰極７ｂと陽極７ｄ間には、電子輸送層やホール輸送層などの公知の有機ＥＬ装置に採用される１つまたは複数の層を適宜備えてもよい。陽極７ｄは、電極としての機能を有し、かつ、少なくとも可視光に対して透明または半透明であればよく、例えばＩＴＯなどの材料からなる。封止膜７ｅは、少なくとも可視光に対して透明または半透明であればよい。例えば、窒化珪素、酸窒化珪素または酸化珪素などを用いる。各層は真空蒸着法などの公知の薄膜形成法によって形成する。
【００１７】
照明器具本体２の点灯回路４に外部から電力が供給されると、蛍光ランプ３が点灯し光が放射される。なお、蛍光ランプ３を最大発光の１００％〜数十％の範囲にて調光できるよう、予め点灯回路４を設計しておくことが望ましい。蛍光ランプ３から照射された光は３６０度に放射されるが、図３のＸに示すように、蛍光ランプ３の上面または側面に放射される光は、有機ＥＬパネル７の陰極７ｂにより、反射される。つまり、有機ＥＬパネル７が反射板としての役割を果たすため、効率的に光を放射することができる。
【００１８】
また、点灯回路４は、有機ＥＬパネル７を点灯させる回路も備える。有機ＥＬパネル７に外部から電力が供給されると、発光層７ｃが発光する。発光層７ｃから発せられた光は直接陽極７ｄおよび封止膜７ｅの側へ、または陰極７ｂにより反射されて、放射される。なお、有機ＥＬパネル７に供給する電流を変化させ、有機ＥＬパネル７から発せされる光を調光できるよう、予め点灯回路４を設計しておく。
【００１９】
本実施の形態１に係る照明器具１を使用する際、明るさが必要な場所や状況では蛍光ランプ３を１００％で点灯させ、有機ＥＬパネル７の陰極７ｂを用いて蛍光ランプ３の光を反射させる。さらに、明るさが必要な場合には、有機ＥＬパネル７も点灯させてもよい。また、明るさを必要としない場所や状況では蛍光ランプ３を調光する。さらに低調光を必要とする場合には、蛍光ランプ３を消灯し、有機ＥＬパネル７を点灯させる。また、該有機ＥＬパネル７も調光可能である。すなわち、有機ＥＬパネル７を蛍光ランプ３の最小発光より小さい光量で発光させ、またその範囲で調光することができる。このように、蛍光ランプ３および有機ＥＬパネル７をそれぞれ調光可能とすることによって、照明器具１において実質０〜１００％の調光が実現できる。
【００２０】
このように、本実施の形態１に係る照明器具１によれば、低温低調光時における立ち消えやちらつきを起こさずにランプを広範囲に調光できる。これは、蛍光ランプ３とそれ以外の光源手段として有機ＥＬパネル７を用い、照明器具１の照度を、蛍光ランプ３の最小発光より小さい光量の範囲を含む、広範囲に調光可能としているためである。つまり、本実施の形態１の照明器具１においては、蛍光ランプ３を過度に低調光する必要がないため、低温低調光時における立ち消えやちらつきを起こすことがない。その結果、空間快適度の向上および省エネルギー化も図られる。
【００２１】
さらに、２つの光源手段を用いることによって、蛍光ランプ３寿命時のランプ交換の際に、有機ＥＬパネル７を発光させることで手元の照度を確保することが可能であり、作業性や安全性が向上される。また、本実施の形態１では有機ＥＬパネル７の陰極７ｂをそのまま反射板として利用しているため、光放射効率が高い。さらに、反射板を有する照明器具において、２つの光源手段を設置することによりデザインが制限されることもない。
【００２２】
本実施の形態１に係る反射部材６である有機ＥＬパネル７、および該有機ＥＬパネル７を固定する照明器具本体２の形状は一例であり、図に示した形状に限られない。照明器具本体２の形状は、装着される蛍光ランプ３の形状に合わせ適宜変更可能であり、また、有機ＥＬパネル７の形状も装着された該蛍光ランプ３の光を効率的に反射できるような形状ならばよい。
【００２３】
また、有機ＥＬパネル７および照明器具本体２の形状に合わせ、有機ＥＬパネル７と照明器具本体２との固定方法も一例であり、図に示した方法に限られない。例えば、照明器具本体２に有機ＥＬパネル７を保持する骨組みが形成されていたり、開口部を有する照明器具本体２の該開口部に嵌合するよう有機ＥＬパネル７が固定されていてもよい。なお、点灯回路４は照明器具本体２に内蔵されていなくてもよい。例えば、照明器具本体２とは別に設置されて配線される形態でもかまわない。
【００２４】
（実施の形態２）
本実施の形態２では、反射部材６として有機ＥＬパネル７および光を反射する材質からなる反射板８を使用する場合について述べる。
【００２５】
図４は、本発明の実施の形態２に係る照明器具の斜視図を示す。照明器具１の構成例は、実施の形態１で示した照明器具１と、反射部材６の構成を除き同様である。照明器具１は、照明器具本体２と、蛍光ランプ３と、反射部材６とから構成されている。ソケット部５を有し点灯回路４が内蔵された照明器具本体２、および該ソケット部５に装着される蛍光ランプ３については、実施の形態１と同様である。本実施の形態２の照明器具１は実施の形態１と比較すると、反射部材６が有機ＥＬパネル７と反射板８とから構成されている点で異なる。なお、点灯回路４と、有機ＥＬパネル７または蛍光ランプ３とをそれぞれ電気的に接続するため、適宜図示しない配線がなされている。
【００２６】
図５は、実施の形態２に係る照明器具の断面図を示す。反射部材６は、矩形状の板の両端がくの字状に折れ曲がったような形状をしている反射板８と、４つの矩形状の有機ＥＬパネル７とから構成されている。有機ＥＬパネル７はそれぞれ、反射板８の蛍光ランプ３側の表面上に取り付けられている。図５には、反射部材６は反射板８の１平面において照明器具本体２に固定されている様子を示したが、該固定方法に限定されない。
【００２７】
図６は、図５のＢ部分の拡大図を示す。有機ＥＬパネル７の構成については、実施の形態１と同様である。なお、有機ＥＬパネル７表面を保護するための透明または半透明である保護部材や、反射板８への保持部材等を備えてもよい。反射板８は、光を反射する材料であればよく、例えば高反射率である白色が塗装された板金などが望ましい。蛍光ランプ３から放射され有機ＥＬパネル７へ向かった光は、図６のＹに示すように陰極７ｂにより反射される。また、蛍光ランプ３から放射され反射板８へ向かった光は、図６のＺに示すように反射板８により反射される。
【００２８】
つまり、反射板８だけでなく、有機ＥＬパネル７も反射板としての役割を果たすため、反射部材６の全面に亘って効率的に光を放射することができる。なお、蛍光ランプ３を最大発光の１００％〜数十％の範囲にて調光できるよう、予め点灯回路４を設計しておくことが望ましい。有機ＥＬパネル７の点灯については実施の形態１と同様であり、該有機ＥＬパネル７を調光できるよう予め点灯回路４を設計しておく。本実施の形態２に係る照明器具１の使用方法についても実施の形態１と同様であり、蛍光ランプ３および有機ＥＬパネル７をそれぞれ調光可能とすることによって、照明器具１において実質０〜１００％の調光が実現できる。
【００２９】
このように、本実施の形態２に係る照明器具によれば、低温低調光時における立ち消えやちらつきを起こさずにランプを広範囲に調光できる。その結果、空間快適度の向上および省エネルギー化も図られる。さらに、２つの光源手段を用いることによって、蛍光ランプ３寿命時のランプ交換の際に、有機ＥＬパネル７を発光させることで手元の照度を確保することが可能であり、作業性や安全性が向上される。
【００３０】
また、本実施の形態２では、反射板８上の有機ＥＬパネル７が設置されている箇所においても光を反射することができるため、光放射効率が高い。さらに、反射板を有する照明器具において、２つの光源手段を設置することによりデザインが制限されることもない。
【００３１】
本実施の形態２に係る反射部材６である反射板８および有機ＥＬパネル７、ならびに該反射部材６を固定する照明器具本体２の形状は一例であり、図に示した形状に限られない。照明器具本体２の形状は、装着される蛍光ランプ３の形状に合わせ適宜変更可能であり、また、反射部材６の形状も装着された該蛍光ランプ３の光を効率的に反射できるような形状ならばよい。さらに、反射板８に対する有機ＥＬパネル７の大きさ・数・位置は必要とする照度に合わせ適宜変更可能である。例えば、反射板８の表面上に有機ＥＬパネル７を取り付ける必要はなく、反射板８に空けた孔などに嵌合させてもよく、反射部材６が反射板８と有機ＥＬパネル７とを組み合わせた構成であればよい。
【００３２】
また、反射部材６および照明器具本体２の形状に合わせ、反射部材６と照明器具本体２との固定方法も一例であり、図に示した方法に限られない。例えば、照明器具本体２に反射部材６を保持する骨組みが形成されていたり、開口部を有する照明器具本体２の該開口部に嵌合するよう反射部材６が固定されていてもよい。
【００３３】
（実施の形態３）
本実施の形態３では、反射部材６として発光ダイオード９が取り付けられた反射板８を使用する場合について述べる。
【００３４】
図７は、本発明の実施の形態３に係る照明器具の斜視図を示す。照明器具１の構成例は、実施の形態１で示した照明器具１と、反射部材６の構成を除き同様である。照明器具１は、照明器具本体２と、蛍光ランプ３と、反射部材６とから構成されている。ソケット部５を有し点灯回路４が内蔵された照明器具本体２、および該ソケット部５に装着される蛍光ランプ３については、実施の形態１と同様である。実施の形態１と比較すると、本実施の形態２は、反射部材６が発光ダイオード９と反射板８とから構成されている点で異なる。なお、点灯回路４と、発光ダイオード９または蛍光ランプ３とをそれぞれ電気的に接続するため、適宜図示しない配線がなされている。
【００３５】
図８は、実施の形態３に係る照明器具の断面図を示す。反射部材６は、矩形状の板の両端がくの字状に折れ曲がったような形状をしている反射板８と、複数の発光ダイオード９とから構成されている。発光ダイオード９はそれぞれ、反射板８の蛍光ランプ３側の表面上に等間隔で取り付けられている。図８には反射部材６は反射板８の１平面において照明器具本体２に固定されている様子を示したが、該固定方法に限定されない。反射板８は、実施の形態２と同様であり、光を反射する材料であればよく、例えば高反射率である白色が塗装された板金などが望ましい。
【００３６】
蛍光ランプ３から放射され反射板８へ向かった光は、該反射板８により反射される。なお、蛍光ランプ３を最大発光の１００％〜数十％の範囲にて調光できるよう、予め点灯回路４を設計しておくことが望ましい。
【００３７】
点灯回路４は、発光ダイオード９を点灯させる回路も備える。発光ダイオード９に外部から電力が供給されると、該発光ダイオード９は点灯する。発光ダイオード９から発せられた光は直接、または反射板８により反射されて、放射される。この際、反射板８を熱が伝導しやすい金属で構成することにより、該反射板８は発光ダイオード９の放熱板としても機能する。なお、発光ダイオード９に供給する電流を変化させ、発光ダイオード９を調光できるよう、予め点灯回路４を設計しておく。
【００３８】
本実施の形態３に係る照明器具１を使用する際、明るさが必要な場所や状況では蛍光ランプ３を１００％で点灯させ、反射板８を用いて蛍光ランプ３の光を反射させる。さらに、明るさが必要な場合には、発光ダイオード９も点灯させてもよい。また、明るさを必要としない場所や状況では蛍光ランプ３を調光する。さらに低調光を必要とする場合には、蛍光ランプ３を消灯し、発光ダイオード９を点灯させる。また、該発光ダイオード９も調光可能である。すなわち、発光ダイオード９を蛍光ランプ３の最小発光より小さい光量で発光させ、またその範囲で調光することができる。このように、蛍光ランプ３および発光ダイオード９をそれぞれ調光可能とすることによって、照明器具１において実質０〜１００％の調光が実現できる。
【００３９】
このように、本実施の形態３に係る照明器具１によれば、低温低調光時における立ち消えやちらつきを起こさずに照明器具１を、蛍光ランプ３の最小発光より小さい光量の範囲を含む、広範囲に調光できる。その結果、空間快適度の向上および省エネルギー化も図られる。さらに、２つの光源手段を用いることによって、蛍光ランプ３寿命時のランプ交換の際に、発光ダイオード９を発光させることで手元の照度を確保することが可能であり、作業性や安全性が向上される。
【００４０】
また、本実施の形態３では、反射板８上に発光ダイオード９が設置されているが、発光ダイオード９は極小素子であるため、反射にそれほど影響を与えることはなく、高光放射効率を保つことができる。さらに、反射板を有する照明器具において、２つの光源手段を設置することによりデザインが制限されることもない。
【００４１】
本実施の形態３に係る反射部材６である反射８板および発光ダイオード９、ならびに該反射部材６を固定する照明器具本体２の形状は一例であり、図に示した形状に限られない。照明器具本体２の形状は、装着される蛍光ランプ３の形状に合わせ適宜変更可能であり、また、反射部材６の形状も装着された該蛍光ランプ３の光を効率的に反射できるような形状ならばよい。
【００４２】
さらに、反射板８に対する発光ダイオード９の大きさ・数・位置は、必要とする照度および反射効率を考慮し、適宜変更可能である。例えば、反射板８の表面上に発光ダイオード９を取り付ける必要はなく、反射板８の下端などに取り付けてもよく、反射部材６が反射板８と発光ダイオード９とを組み合わせた構成であればよい。また、複色光の発光ダイオード９を用いて点灯制御装置で発光色を選択し、色合いを調整できるようにしてもよい。
【００４３】
また、反射部材６と照明器具本体２との固定方法も一例であり、図に示した方法に限られない。例えば、照明器具本体２に反射部材６を保持する骨組みが形成されていたり、開口部を有する照明器具本体２の該開口部に嵌合するよう反射部材６が固定されていてもよい。
【００４４】
実施の形態１および２では光源が蛍光ランプ３および有機ＥＬパネル７の場合、ならびに実施の形態３では光源が蛍光ランプ３および発光ダイオード９の場合について説明したが、これらの組み合わせに限られない。例えば、反射部材６に有機ＥＬパネル７および発光ダイオード９を取り付け、これらを組み合わせて調光を行えるように設計してもよい。
【００４５】
実施の形態１ないし３では、直管の蛍光ランプ３を２本備えた照明器具を想定して説明したが、ランプの本数・形状はこれに限られず、円管、球管、Ｕ字管または連結管などその他の形状でもよい。また、実施の形態１ないし３では、照明器具本体２および反射部材６を分けて説明したが、一体に形成されていてもよく、照明器具本体２の一部が反射部材６となっている場合にも適用できる。
【００４６】
発明の実施の形態について説明したが、本発明は上述した実施の形態に限定されることはなく、本発明の範囲内で種々の実施形態が可能である。
【００４７】
その他、本発明の好適な変形として、以下の構成が含まれる。
【００４８】
本発明に係る照明器具について、好ましくは、前記反射部材は有機エレクトロルミネッセンス素子を備え、
前記第２の光源手段は、前記有機エレクトロルミネッセンス素子であり、
前記有機エレクトロルミネッセンス素子に含まれる陰極により前記第１の光源手段からの光を反射することを特徴とする。
【００４９】
好ましくは、前記反射部材は、有機エレクトロルミネッセンス素子および光を反射する材質からなる反射板を備え、
前記第２の光源手段は、前記有機エレクトロルミネッセンス素子であり、
前記有機エレクトロルミネッセンス素子に含まれる陰極および前記反射板により、前記第１の光源手段からの光を反射することを特徴とする。
【００５０】
また、好ましくは、前記反射部材は、発光ダイオードおよび光を反射する材質からなる反射板を備え、
前記第２の光源手段は、前記発光ダイオードであり、
前記反射板により、前記第１の光源手段からの光を反射することを特徴とする。
【００５１】
さらに好ましくは、前記発光ダイオードは、前記反射板の前記第１の光源手段側の一端の表面に取り付けられていることを特徴とする。
【００５２】
また、好ましくは、前記第１の光源手段は調光可能であることを特徴とする。
【符号の説明】
【００５３】
１  照明器具
２  照明器具本体
３  蛍光ランプ
４  点灯回路
５  ソケット部
６  反射部材
７  有機ＥＬパネル
７ａ  パネル基板
７ｂ  陰極
７ｃ  発光層
７ｄ  陽極
７ｅ  封止膜  
８  反射板
９  発光ダイオード
【図１】
2010272217.tif 000003
【図２】
2010272217.tif 000004
【図３】
2010272217.tif 000005
【図４】
2010272217.tif 000006
【図５】
2010272217.tif 000007
【図６】
2010272217.tif 000008
【図７】
2010272217.tif 000009
【図８】
2010272217.tif 000010